(57)【要約】      （修正有）【課題】被載置物に吸着し位置決めすることができ、飯杓子の清潔、衛生を維持することができる飯杓子を提供する。【解決手段】飯杓子本体と、連結部材と、吸盤体とを含む。飯杓子本体は、飯杓子部と柄部とを有する。連結部材は、柄部の底端内に結合される。吸盤体は、内側面が被載置物上に吸着されるための吸着面として使用される吸盤部と、吸盤部の外側面から外方へ延在してなり、連結部材に結合される結合部とを有する。【選択図】図３
0003173856.tif 000002
【実用新案登録請求の範囲】
【請求項１】
飯杓子部と握るための柄部とを有する飯杓子本体と、
前記飯杓子本体の柄部の下端に結合され、貫通孔を有する連結部材と、
対向する内側面と外側面とを含み、内側面が被載置物上に吸着される吸着面として使用される吸盤部と、前記外側面から外方へ延在してなり、前記連結部材の貫通孔を貫通することで前記連結部材に結合される結合部とを有する吸盤体と、
を備えることを特徴とする飯杓子。
【請求項２】
前記飯杓子本体の柄部の底端には拡大部を有し、前記連結部材は、接合又は接着により前記拡大部内に結合されることを特徴とする請求項１に記載の飯杓子。
【請求項３】
前記結合部の外端には略錘状の凸縁を有し、前記凸縁の外径は、前記貫通孔よりも大きく、前記連結部材は、前記吸盤部の外側面と前記凸縁との間に介在されることを特徴とする請求項１に記載の飯杓子。
【考案の詳細な説明】
【技術分野】
【０００１】
本考案は、飯杓子に関し、特に、被載置物上に吸着可能な飯杓子に関するものである。
【背景技術】
【０００２】
一般の家庭又は営業場所において使用される飯杓子は、飯杓子部及び扁平状の柄部を含む。飯杓子の使用が終了すると、扁平状の柄部が直立機能を有しないため、通常、飯杓子部が外物に接触し衛生に影響を与えることがないように、飯杓子を容器の中に収容する。しかしながら、該容器はスペースを必要とするため、美観に影響を及ぼすことがある。また、使用者が飯杓子を再び使用しようとする場合は、使用者の手が容器又は飯杓子部に接触することがよくあり、容器又は飯杓子部の衛生に影響を与えてしまうこともある。
【考案の概要】
【０００３】
そこで、本考案は、上述した課題を解決するための飯杓子を提供することを目的とする。この飯杓子は、被載置物（例えばテーブル又は壁面）に吸着し位置決めすることができるため、縦向き又は横向きに放置することができ、外力の衝撃によって傾倒することがない。
【課題を解決するための手段】
【０００４】
本考案は、飯杓子部と握るための柄部とを有する飯杓子本体と、前記飯杓子本体の柄部の下端に結合され、貫通孔を有する連結部材と、内側面と外側面とを含み、内側面が被載置物上に吸着される吸着面として使用される吸盤部と、前記外側面から外方へ延在してなり、前記連結部材の貫通孔を貫通することで前記連結部材に結合される結合部とを有する吸盤体と、を備えることを特徴とする飯杓子を提供する。
【考案の効果】
【０００５】
本考案に係る飯杓子によれば、吸盤部の内側面が被載置物に吸着結合されることにより、前記飯杓子を被載置物に吸着し位置決めすることができ、飯杓子の清潔、衛生を維持することができる。
【図面の簡単な説明】
【０００６】
【図１】本考案に係る飯杓子の立体分解図を示す。
【図２】本考案に係る飯杓子の立体外観図を示す。
【図３】図２の飯杓子の断面図を示す。
【図４】本考案に係る飯杓子が被載置物に吸着される模式図を示す。
【図５】図４の飯杓子が被載置物から離れる模式図を示す。
【考案を実施するための形態】
【０００７】
図１ないし図３は、本考案に係る実施例の飯杓子１０を示す。飯杓子１０は、飯杓子本体１、連結部材３及び吸盤体２を含む。飯杓子本体１は、飯杓子部１及び柄部１２１を有し、柄部１２は、飯杓子部１１から離れる一端（下端）に拡大部１２１を有する。連結部材３は、中央に貫通孔３１を有し、接合又は接着により拡大部１２１の底端内に設けられる。他の実施例において、連結部材３は、飯杓子本体１と一体に形成される。
【０００８】
吸盤体２は、対向する内側面２１１と外側面２１２とを有し、内側面２１１が例えばテーブル又は壁面の被載置物４上に吸着される吸着面として使用される円盤状の吸盤部２１と、結合部２２とを有する（図４参照）。この実施例において、吸盤部２１の内側面２１１は、中央が隆起した弧面形態に形成される。結合部２２は、吸盤部２１の外側面２１２の中央から外方へ延在して形成される。結合部２２が連結部材３の貫通孔３１を貫通することで、吸盤体２は、連結部材３に結合される。さらに、結合部２２の外端には略錘状の凸縁２２１を有し、凸縁２２１の外径が貫通孔３１よりもやや大きいため、凸縁２２１は、貫通孔３１を押通することができる。結合部２２が連結部材３に結合された後、連結部材３が吸盤部２１の外側面２１２と凸縁２２１との間に介在され吸盤体２と結合されるため、吸盤体２は、連結部材３を介して飯杓子本体１にしっかり連結される。
【０００９】
本考案に係る飯杓子１０は、実施の際に、柄部１２を握って飯杓子１０を例えばテーブル又は壁面の被載置物４に向けて押し下げるだけで（図４参照）、吸盤部２１の内側面２１１が被載置物４に吸着結合されるため、未使用の場合に、縦向き又は横向きに放置することで被載置物４上に吸着し位置決めすることができる。従って、飯杓子１０の飯杓子部１１は、上方又は外方へ被載置物４の上方に懸架され、飯杓子部１１の清潔の衛生効果を図ることができる。
【００１０】
飯杓子１０を使用しようとする場合は、柄部１２を握って飯杓子１０を持ち上げるだけで（図５参照）、飯杓子１０が吸着された被載置物４から離れることができるため、使用者が飯杓子が容易に使用し、衛生効果を維持できる効果を図ることができる。
【００１１】
上述したものは、本考案の好ましい実施例に過ぎず、本考案の実施の範囲を限定するためのものではなく、本考案の明細書及び図面内容に基づいてなされた均等な変更および付加は、いずれも本考案の登録請求範囲内に含まれるものとする。
【００１２】
以上のように、本考案では、飯杓子部と握るための柄部とを有する飯杓子本体と、前記飯杓子本体の柄部の下端に結合され、貫通孔を有する連結部材と、対向する内側面と外側面とを含み、内側面が被載置物上に吸着される吸着面として使用される吸盤部と、前記外側面から外方へ延在してなり、前記連結部材の貫通孔を貫通することで前記連結部材に結合される結合部とを有する吸盤体と、を備えることを特徴とする飯杓子とするものである。
【００１３】
また、前記飯杓子本体の柄部の底端には拡大部を有し、前記連結部材は、接合又は接着により前記拡大部内に結合されるものとする。
【００１４】
また、前記結合部の外端には略錘状の凸縁を有し、前記凸縁の外径は、前記貫通孔よりも大きく、前記連結部材は、前記吸盤部の外側面と前記凸縁との間に介在されるものとする。
【産業上の利用可能性】
【００１５】
本考案に係る飯杓子によれば、吸盤部の内側面が被載置物に吸着結合されることにより、前記飯杓子を被載置物に吸着し位置決めすることができ、飯杓子の清潔、衛生を維持することができる。
【符号の説明】
【００１６】
１  飯杓子本体
１０  飯杓子
１１  飯杓子部
１２  柄部
１２１  拡大部
２  吸盤体
２１  吸盤部
２１１  内側面
２１２  外側面
２２  結合部
２２１  凸縁
３  連結部材
３１  貫通孔
４  被載置物
【図１】
0003173856.tif 000003
【図２】
0003173856.tif 000004
【図３】
0003173856.tif 000005
【図４】
0003173856.tif 000006
【図５】
0003173856.tif 000007